(57)【特許請求の範囲】
【請求項１】
伸縮性素材からなる着座面及び底面と、非伸縮性素材からなる側面とを組み合わせて外袋体に形成せしめ、該外袋体の側面の一部に拘束バンドが巡らされているクッションカバーの内部に、該外袋体の平常時の容積と同量以上の粒状発泡樹脂体からなる緩衝材が充填された伸縮性素材からなる内袋部を収納していること、を特徴とするクッション。
【請求項２】
前記拘束バンドは、バンド長が可変調整自在な非伸縮性素材からなり、少なくとも前記外袋体の側面外周の２箇所と係留されていること、を特徴とする請求項１に記載のクッション。
【請求項３】
前記拘束バンドは、該拘束バンドの一部分が該外袋体の側面に縫着された縫着部を備えており、該縫着部から延びたバンドの先端を外袋体の側面に係留して係留部としてバンドを側面に周方向に配したものであって、該縫着部と係留部との間のバンド長を可変に調整できること、を特徴とする請求項１または請求項２に記載のクッション。
【請求項４】
前記拘束バンドは、バンドの一部が複数に分岐したものであって、分岐された部分の一部が平行に離間するように配されて外袋体側面に側面外周方向に縫着されていること、を特徴とする請求項３に記載のクッション。
【請求項５】
前記拘束バンドは、その縫着部が外袋体側面の内面側から外袋体側面と縫着されていることを特徴とする請求項３又は請求項４のいずれかに記載のクッション。
【請求項６】
前記拘束バンドは複数本配されており、それぞれの拘束バンドが外袋体側面の一部に巡らされていること、を特徴とする請求項１〜請求項５のいずれか１項に記載のクッション。
【請求項７】
伸縮性素材からなる着座面及び底面と、非伸縮性素材からなる側面とを組み合わせて外袋体に形成せしめたクッションカバーの内部に、該外袋体の平常時の容積と同量以上の粒状発泡樹脂体からなる緩衝材が充填された伸縮性素材からなる内袋部を収納しているクッションであって、外袋体の対向する左右側面の内面側と両端部分をそれぞれ縫着した引出ベルトを外袋体と内袋部の間に配するようにして、さらに該引出ベルトの中央部を外袋体の側面の開口から引き出し可能に露出させるように設けたこと、を特徴とする、クッション
【請求項８】
前記外袋体の側面にバンド長が可変調整自在な非伸縮性素材からなる拘束バンドを配し、該拘束バンドの一部を側面に縫着し、縫着されていないバンド部分を側面外周に係留して該縫着部と係留された端部との間のバンド長を可変に調整できること、を特徴とする請求項７に記載のクッション。
【請求項９】
前記外袋体は、着座面の一部が下方に傾斜した面であって、この傾斜した面の下端側外縁部に外袋体の外部に上肢支持用の載置部と載置部を支える支持部からなる脚台を突出させて設けていること、を特徴とする請求項１〜請求項８のいずれか１項に記載のクッション。
【請求項１０】
前記脚台の載置部は、その一端を外袋体の下端側外縁と接合せしめ、接合部を軸として水平に伏せた姿勢と斜めに起こした姿勢とを起伏自在に位置としうる可動的な載置部とし、さらに斜めに起こした状態の載置部は下方から支える支持部によって角度調整自在に支持されていること、を特徴とする請求項９に記載のクッション。
【請求項１１】
前記内袋部が大内袋と小内袋の２つの内袋に粒状発泡樹脂体からなる緩衝材を充填したものであることを特徴とする、請求項１〜請求項８のいずれか１項に記載のクッション。
【発明の詳細な説明】
【技術分野】
【０００１】
本発明は、身障者や高齢者などの姿勢回復訓練に適した、着座姿勢を快適なままに長期に保持しうるクッションに関するものである。
【背景技術】
【０００２】
従来から、袋体に充填材として発泡スチロール製のビーズを用いたクッションが多数存在している。たとえば、発泡スチロール製の１ｍｍ以下の微粒子ビーズの粒状発泡樹脂体を１袋の伸縮性の袋体に充填し、この袋体をクッションカバーに収納したものである。しかし、使用者の荷重で充填された粒状体のビーズが袋体の内部で容易に移動しやすく、また袋体自体が伸びすぎてしまう場合もあるので、狙いどおりの姿勢に保持することは容易ではなく、望んだ姿勢位置で身体を安楽に保持するためには必ずしも十分ではなかった。
【０００３】
そこで、クッションカバーの一部を伸縮性の素材、他の面を非伸縮素材としたクッションが開発されている。たとえば、特許文献１には、クッションカバーの上平面にスパンデックスを用いて伸縮性とし、他の面を塩化ビニルシートによる非伸縮素材とした円柱状のビーズクッションソファーが開示されている。また、特許文献２には、平面もしくは底面の一方の面がポリウレタン弾性繊維からなる伸縮性のスパンデックス生地からなり、他方の面を非伸縮性としたクッションが開示されている。
【先行技術文献】
【特許文献】
【０００４】
【特許文献１】特開２０００−９３２６０号公報
【特許文献２】特開２００９−２１９５５８号公報
【発明の概要】
【発明が解決しようとする課題】
【０００５】
たしかに、これらの伸縮性素材と非伸縮性素材を組み合わせたクッションは、伸縮する面が一部の面に限定されたことによって、他の面の非伸縮素材によって内部の粒状発泡樹脂体の移動を抑えることができることから、身体を支承するビーズが左右に逃げるように流れて姿勢が変動する傾向が幾分低減されている。
【０００６】
もっとも、クッションのサイズは、一般的には、６０センチ四方程度で厚みが１５〜３０ｃｍ程度のものであるから、身体をもたせかけるときの体重のかかり方が大きく影響し、粒状発泡樹脂体が少なからず移動するする。
【０００７】
ところが、あらかじめ沈み込むとわかっていても、予期した沈み込みと現実の沈み込みとの間には齟齬が生じやすく、好みの姿勢位置にするには、幾度も座り直す必要が生じたりしている。また、一度身体をもたせかけてしまうと、寝たままの姿勢でこれを所望する姿勢位置まで保持位置を修正することは困難であった。
【０００８】
そして、健常者であっても、使用中に、微細なビーズ状の粒子のなかに埋もれるように深くはまり込んでしまったときには、着座姿勢を容易に変えづらくなることがある。粒子が１ｍｍ以下の微細な発泡樹脂体であるときには、荷重をかけるたびに粒子が移動しやすく、力がかかりにくいからである。
【０００９】
すると、身障者や高齢者の場合には、そもそも着座することも容易ではない場合もあるうえに、着座時に介添人のサポートを得て着座したとしても、クッションの形状が荷重で変化しやすいことから、予想どおりの位置に沈み込むとは限らず、所望の姿勢を実現することは容易ではなく、また、着座後に所望の位置まで調整することは極めて困難であった。そこで、着座後に所望の姿勢へと調整がしやすいクッションが望まれている。
【００１０】
ところで、身障者や高齢者のなかには、姿勢が歪んでしまったままで筋肉が硬直してしまっている症状の状態で、日々のリハビリに取り組んでいる者が多くある。これらの者は一般人の快適とする着座姿勢の器具に着座してみても、その器具によって提供される理想姿勢に身体を合わせることは容易ではなく、身体をもたせかけたところで、筋肉等の緊張を強いられるので、着座することでは緊張状態から脱することは困難である。
【００１１】
そこで、本人が安楽に弛緩できる所望の姿勢を多様に提供しうるものとして、本人の姿勢に応じて身体を適切に支承しうる余地のある粒状発泡樹脂体を用いたビーズクッションを用いると、筋肉を弛緩させやすくなることが期待できる。そこで、姿勢回復のためのリハビリテーションにおいても有用であると考えられる。
【００１２】
リハビリテーションで関節の稼働範囲を拡げるためには、まず、着座者本人にとって身体が緊張状態から開放されて安楽な着座姿勢を形成できるようにすることで、筋肉の緊張の開放を促すことが望ましい。こうして緊張状態から開放された姿勢を暫時保持しうるようにすると、着座することで体が休まり、緊張から開放された筋肉が伸縮しうるようになる。そこで、動かすことが困難だった関節が、周囲の筋肉が弛緩したことで徐々に稼働範囲を拡げうることとなるので、実効的なリハビリ訓練につなげうるのである。そこで、硬直した筋肉の緊張を緩和する簡易な器具としても提供しうるものが望まれている。
【００１３】
さらに、着座することで着座者の関節の稼働範囲が拡がってくれば、緊張状態から解放されることで徐々に着座姿勢の位置が変化することから、着座する毎に緊張状態から開放される安楽な姿勢は異なるものとなる。そこで、着座者にとって快適な姿勢位置となるように、細かく調整しうるものであって、さらに簡便に姿勢を再調整しやすいものであることも望まれている。
【００１４】
ところで、健常者も含めて一般的な着座時の理想的な弛緩姿勢とは、直立時のような背筋の伸びた姿勢を再現することではない。直立姿勢では、下腹部側の「腸腰筋群」と臀部側の「殿筋群」の二つの筋肉が拮抗筋として作用することから、股関節という不安定な関節を跨いでお互いに引っ張り合う張力によって骨盤は坐骨を真下に位置させた「立った位置」でしっかりと安定保持されているが、人が座位の姿勢をとり、股関節が９０度近く曲がることとなると、一方では下腹部側の「腸腰筋群」は筋の付着部である腰椎と大腿骨の位置が近くなり、伸びていた筋肉が緩むので張力が弱まることとなる。他方、臀部側の「殿筋群」は骨盤から股関節を中心に大腿骨まで、外側を回り込むようにして引き延ばされるので、張力が強くかかることとなるからである。かえって坐骨に大きな荷重がかかり、座面に接する臀部の一部に偏った荷重がかかることとなるので、直立姿勢の再現をしても弛緩したことにならない。
【００１５】
むしろ、、骨格と筋肉の張力バランス弛緩させた着座姿勢とは、リクライニングしたような背中をやや丸めた姿勢である。座位姿勢時に、骨盤を支えているこれらの拮抗筋が張力のバランスをとろうとすると、立位では坐骨を下に位置させて垂直に「立った位置」にあった骨盤が、坐骨を前方に押し出すように傾倒し、「傾斜した位置」となる。座位姿勢では、股関節を中心に骨盤を傾倒させる筋肉の張力として作用するのである。
【００１６】
このように、土台となる骨盤が傾倒しているので、その上方に位置する腰椎をはじめとする脊柱が、Ｓ字状に真っ直ぐ伸びた姿勢を維持するには、余計な筋力を要することとなる。そして、健常者でも身障者でも、弛緩して座ったときには、骨盤が自然と傾倒し、それに応じて背中が丸くなるのである。
【００１７】
そこで、発泡粒状体からなるクッションに着座するとき、一般的な弛緩姿勢とは、腰を落とすようにしながら、クッションに背中全体を預けつつ、膝側を高くして背中を丸くするような体勢となる。こうした姿勢を形成・保持しやすいクッションが望まれている。
【００１８】
もっとも、厚みのあるクッションは着座過程では、荷重によって内袋部内のビーズ状の粒状発泡樹脂体が内部で流動することから、着座時に姿勢が揺れやすく、完全に着座しきるまでは身体を安定させにくい。すると、身障者や高齢者のなかには、円柱形状もしくは直方体形状の厚みあるクッションに身体をもたせかけて腰掛けること自体が難しい場合があり、座る動作をすることが困難なので、腰を落とし込むように背中を丸めるように着座体勢をとるまでに至らないことがある。そこで、身障者等が弛緩姿勢をとって着座しやすいように、腰掛け動作がとりやすい構造も望まれているのである。
【００１９】
以上のことから、本発明が解決しようとする課題は、身体の荷重を適切に分散して支承することで長時間安楽に着座しうるクッションであって、着座姿勢の腰掛け動作がとりやすく、かつ、着座後にも所望の姿勢を形成してこれを支承・保持しうるように簡単に調整しうるクッションを提供することであり、また、身障者や高齢者の姿勢回復訓練にも適した着座姿勢の調整がしやすく腰掛けやすいクッションを提供することである。
【課題を解決するための手段】
【００２０】
本発明の課題を解決するための第１の手段は、伸縮性素材からなる着座面及び底面と、非伸縮性素材からなる側面とを組み合わせて外袋体に形成せしめ、該外袋体の側面の一部に拘束バンドが巡らされているクッションカバーの内部に、粒状発泡樹脂体からなる緩衝材が充填された伸縮性素材からなる内袋部を収納していること、を特徴とするクッションである。
【００２１】
本発明の第２の手段は、前記拘束バンドは、バンド長が可変調整自在な非伸縮性素材からなり、少なくとも前記外袋体の側面外周の２箇所と係留されていること、を特徴とする第１の手段に記載のクッションである。
【００２２】
本発明の第３の手段は、前記拘束バンドは、該拘束バンドの一部分が該外袋体の側面に縫着された縫着部を備えており、該縫着部から延びたバンドの先端を外袋体の側面に係留して係留部としてバンドを側面に周方向に配したものであって、該縫着部と係留部との間のバンド長を可変に調整できること、を特徴とする請求項１または請求項２に記載のクッションである。
【００２３】
本発明の第４の手段は、  前記拘束バンドは、バンドの一部が複数に分岐したものであって、分岐された部分の一部が平行に離間するように配されて外袋体側面に長手方向に縫着されていること、を特徴とする請求項３に記載のクッションである。
【００２４】
本発明の第５の手段は、前記拘束バンドは、その縫着部が外袋体側面の内面側から外袋体側面と縫着されていることを特徴とする第３又は第４のいずれかの手段に記載のクッションである。すなわち、拘束バンドは、外袋体側面に開口された穴から外袋体と内袋の間の隙間に挿通されており、隙間に挿通されたバンド部分は、外袋体側面の内面側から外袋体側面に縫着されている。
【００２５】
本発明の第６の手段は、前記拘束バンドは複数本配されており、それぞれの拘束バンドが外袋体側面の一部に巡らされていること、を特徴とする第１〜第５のいずれか１の手段に記載のクッションである。
【００２６】
本発明の第７の手段は、伸縮性素材からなる着座面及び底面と、非伸縮性素材からなる側面とを組み合わせて外袋体に形成せしめたクッションカバーの内部に、粒状発泡樹脂体からなる緩衝材が充填された伸縮性素材からなる内袋部を収納しているクッションであって、外袋体の対向する左右側面の内面側と両端部分をそれぞれ縫着した引出ベルトを外袋体と内袋部の間に配するようにして、さらに該引出ベルトの中央部を外袋体の側面の開口から引き出し可能に露出させるように設けたこと、を特徴とする、クッションである。
【００２７】
すなわち、引出ベルトの左右端は、外袋体の側面の内面側にそれぞれ縫着されており、この引出ベルトは、外袋体と内袋部の間に配されており、引出ベルトの中央部が外袋体の側面に設けられた開口から外部に露出しており、クッションに着座した状態でこの引出ベルトをさらに引き出すようにして用いるものである。たとえば引出しベルト中央部の露出部を着座者の頭部側側面部とし、外袋体の側面の左右縫着部と着座者の臀部の左右の側面に設けた場合、引出ベルトの中央部を引っ張り出すと、引出す際に周囲の粒状発泡樹脂体のビーズが引き出される方向に流動するので、着座者の上体が上方へ引き上げられるようにして持ち上げられ、着座した身体のラインにビーズが沿うように保持されることとなる。そして、引出ベルトは固定せずとも、着座者の荷重により戻らずにそのままの状態が保持されるので、着座者の安楽な姿勢に沿ったビーズの配置を安楽に形成させることができる。
【００２８】
本発明の第８の手段は、前記外袋体の側面にバンド長が可変調整自在な非伸縮性素材からなる拘束バンドを配し、該拘束バンドの一部を側面に縫着し、縫着されていないバンド部分を側面外周に係留して該縫着部と係留された端部との間のバンド長を可変に調整できること、を特徴とする第７の手段に記載のクッションである。
【００２９】
本発明の第９の手段は、前記外袋体は、着座面の一部が下方に傾斜した面であって、この傾斜した面の下端側外縁部に外袋体の外部に上肢支持用の載置部と載置部を支える支持部からなる脚台を突出させて設けていること、を特徴とする第１〜第８のいずれか１の手段に記載のクッションである。
【００３０】
本発明の第１０の手段は、前記脚台の載置部は、その一端を外袋体の下端側外縁と接合せしめ、接合部を軸として水平に伏せた姿勢と斜めに起こした姿勢とを起伏自在に位置としうる可動的な載置部とし、さらに斜めに起こした状態の載置部は下方から支える支持部によって角度調整自在に支持されていること、を特徴とする第９の手段に記載のクッションである。
【００３１】
本発明の第１１の手段は、前記内袋部が大内袋と小内袋の２つの内袋に粒状発泡樹脂体からなる緩衝材を充填したものであること、を特徴とする第１〜第８のいずれかの手段に記載のクッションである。
【発明の効果】
【００３２】
本発明によると、外袋体の一部が拘束バンドによって拘束されて伸長しにくくなるので側面形状が保持されやすく、充填された粒状発泡樹脂体の流動が抑制されることとなり、着座者の着座状態にクッションの形状が沿いやすくなることから、簡易な拘束バンドによって着座者の荷重による沈み込みが抑えられて姿勢が崩れにくくなり、所望の着座姿勢の腰掛け動作がとりやすく、着座後の身体の荷重を適切に分散支承しやすくなり、長時間安楽に着座できるようになる。
【００３３】
さらに、拘束バンドを側面外周の一部に巡らせたうえで、少なくとも側面外周の２点と係留し、その間の拘束バンドの長さを可変として調整によって側面外周の一部を締めつけ可能とすると、伸びにくいだけでなく、必要に応じて締めつけて外袋体を積極的に拘束しうるようになり、側面の一部を締めつけて着座前から予め締めつけた状態で形状を崩れにくくすることができるので、所望の姿勢が得やすいのみならず、着座後に拘束バンドの長さを引っ張り縮めて拘束バンドの長さを調整することで、外袋体側面外周に巡らした拘束バンドで外袋体側面の一部を締めつけることができるので、着座状態でクッションの形状の修正が可能となることから、単に膨れにくい、というだけでなく、使用者の荷重で変動してしまった姿勢を着座後であっても所望の位置までさらに修正していくことが容易となる。
【００３４】
さらに、拘束バンドの一部を側面の一部に縫い合わせるようにすると、側面の一部の強度が増すと共にその縫着された周辺部分の形状が崩れにくくなるので、荷重がかかった際の形状変化が低減される。
【００３５】
また、縫着部が中央で、左右２カ所に係留部を設けた場合には、中央の縫着部を挟むように外袋体側面外周の左右にそれぞれ設けられ、バンドの両端部がそれぞれの係留部に係留されているので、拘束バンドは、これらの左右の位置で、縫着部の端部と係留部との間で、バンド長が可変に調整できることとなり、拘束バンドの左右部分の長さが縮まると、外袋体の側面の一部に巡らされた拘束バンドが外袋の側面を締めつけることとなるが、中央の補強された縫着部は、周囲の外袋体と一体となってクッションの中心側に面として押しつけられることとなるので、左右の長さの変動する部分の近辺で外袋体は収縮するが、縫着部の周囲は、面として一体的に中心に移動することとなり、これらの動きにより全体的にクッション内部の粒状発泡樹脂体を周囲に大きく押し上げるように移動させることとなり、外袋体の一部をより嵩高な状態に形状修正することが容易にできる。
【００３６】
さらに、拘束バンドの一部を分岐させて複数本のバンドを平行に離間させるように配して分岐部の一部を外袋体の側面に縫着したものとすると、分岐された複数本のバンド部は、外袋体の側面の一部に高さ方向に幅を持って縫着されたものとなる。その一方で、係留部と縫着部の間では１本の帯状のバンドであるから、この部分の長さ調整して縮めるときには帯状のバンドを１本締め上げることで複数に分岐した部分を引き寄せることができ、一回の調整で大きく変動せしめる点で便宜である。
【００３７】
そして、縫着部の複数本に平行分岐したバンドの縫着部分とその周辺が大きな面となって周囲全体を押し上げるように引き寄せられながらクッション中央側へ移動することとなるので、たとえば、バンドの左右に係留箇所を設けて、中央部分を分岐させた構成の場合、１本のバンドの左右の長さをそれぞれに縮めることで、複数本に分岐したバンド部分の縫着部全体がより広範囲に面としてクッションの内部に向かって強く圧迫されることとなり、バンドの縫着部のみならずさらに周囲に広範囲に拘束力が及んで、そのクッション形状を大きく変動させることが容易に実現しうることとなる。そして、バンドの長さ調整による粒状発泡樹脂体の移動量が大きくなるので、着座者にとっては、一本のバンドの調整によって大きな調整が容易にできるので、より容易に十分なクッションの厚みと高さが確保しやすくなる。
【００３８】
そして、外袋体の側面に開口した穴から内袋との隙間に挿通された拘束バンドは、外袋体側面の内側と縫着されることとなるので、バンドの係留部と開口穴の間のバンド部分のみがクッションカバーにおける拘束バンドの露出部となる。すると、拘束バンドの縫着部が内面側に配されることでひっかかりの少ないスムーズな側面が提供されるばかりでなく、縫着部と開口の間では、外袋体側面を拘束しないので、外袋体の側面の布地に阻害されることなく、大きく締めつけることができることなるので、姿勢変化がより大きく実現しうることとなる。
【００３９】
また、外袋体の側面の一部に巡らす拘束バンドの数をさらに複数本配することにすると、それぞれの拘束バンド毎に締めつける長さを調整できることとなるので、個々の拘束バンド毎の締めつけ具体を他の部分とは変えることで、より姿勢調整が細かくできることとなり、着座者に適用しやすい姿勢がより簡易適切に形成可能となる。
【００４０】
また外袋体と内袋部の間に引出ベルトを配して、ベルトの両端を外袋体の側面に固定し、そのベルト中央部を外袋体の外部に露出させて引出し可能としたときには、引き出されたベルトに従動して内部の粒状発泡体樹脂のビーズが移動することとなる。そこで、着座状態でこれを引き出すときには、着座者の周囲のビーズがもたれかかった着座者の姿勢に沿うように周囲の隙間を埋めるように移動して支持することとなる。また、たとえば頭部側にベルトを引き出すと、腰から頭部に向かってビーズが移動することになるので、着座者の上体が上方へ引き上げられるようにして持ち上げられるので、頭部側が高くなる状態を簡易に形成しやすくなるなど、安楽な姿勢の形成を簡易に実現しうることなる。そして、引出ベルトは固定せずとも、着座者の荷重により戻らずにそのままの状態が保持されるので、着座者の安楽な姿勢に沿ったビーズの配置を安楽に形成したままに保つことができる。
【００４１】
さらに、拘束バンドと、引出ベルトを組み合わせると、着座後に引出ベルトを引き出して粒状発泡樹脂体が従動して移動しながら姿勢に沿ったようになり着座者の姿勢に沿ったサポートが実現しやすくなると同時に、さらに拘束バンドの長さを調整して拘束することで、側面の形状を拘束するようにしてクッションカバーの形状をしっかりと保持することとなるので、一旦形成された姿勢が崩れずに保持しやすくなり、より安定的に姿勢がサポートされ続けることとなるので、安楽な姿勢にみあったサポートの実現と、その長期の保持が可能となる。
【００４２】
また、着座者の姿勢が筋肉が硬直するなどして、左右に傾いていたり背中を伸ばすことができず、健常者と同様な姿勢がとれない場合であっても、着座前および着座後に側面の拘束バンドの長さを調整することで、硬直した着座者の姿勢に沿わせて支えうるようにクッションの形状を積極的に変更していくことが容易にできるので、身体が不自由な者であっても、本発明のクッションによって着座することができ、緊張を緩和しうることとなるので、硬直した緊張状態が弛緩されて可動しやすくなる。そして、本発明のクッションに繰り返し着座させる場合に、簡易に調整可能な拘束バンドであることから、拘束バンドの位置をその都度調整して着座者の緊張した筋肉が緩和しうる状態の姿勢を適切に形成させることができることから、着座者の身体を弛緩状態に保持することを繰り返して、徐々に可動域を改善していくリハビリテーションを試みる際に、極めて作業性がよく弛緩状態の身体姿勢への追従性が高いクッションを提供しうることになる。
【００４３】
さらに、外袋体を着座面の一部を下方に向かって傾斜させた形状とし、この傾斜の下端部から突設させた脚台を備えたクッションでは、着座者の背面を斜めの傾斜した着座面に当接させるようにして支持せしめる一方で、上肢を脚台の載置部に載せるようにして着座することとなるので、クッション内の粒状発泡樹脂体によって着座者の上体の荷重が分散支持されるとともに、上肢の内腿側も脚台に支持されるので、腰を丸く曲げた形で着座でき、着座者の座骨が前方に押し出されて傾倒し、下腹部の下腸腰筋群と臀部側の殿筋群の二つの筋肉のバランスが図れるので、弛緩された安楽な姿勢を簡易に形成しうることとなる。
【００４４】
さらに、脚部の載置部を水平に伏せた状態から斜めに起こした状態へと起伏自在とすることで、脚台の載置部を水平に寝かせた状態で着座者が腰掛けてから、上肢を載せ置いたまま載置部を水平位置から斜めに起こすようにして脚台の傾き角度を支持部によって調整固定することで所望の着座姿勢をとらせることが容易となる。そこで、身障者や高齢者等を水平な床面に近い高さのところに着座させてから、上肢を載置部上に載せた状態へと膝裏側が高くなるように下から斜めに持ち上げることができるので、健常者に限らず、本発明のクッションに安全かつ安定的に着座できるものとなる。
【００４５】
また、内袋部を大内袋と小内袋の２つの内袋に分けることで、内袋部の内部に充填した粒状発泡樹脂体からなる緩衝材の移動が各内袋のなかに制限することができ、また内袋同士が内部で押し合うようになるので、着座者の身体から加わる荷重によって生じる粒状発泡樹脂体の流動が抑えられることとなる。たとえば大内袋のうえに着座者の頭部と胴体が、小内袋のうえに脚部が位置するように着座したとき、大内袋と小内袋がそれぞれ押し合うように接するので、互いの境界上に位置する腰部が過度に沈み込むことなく、着座姿勢を保持しうることとなる。
【００４６】
さらに、頭部側や脚部側の外袋体の拘束バンドをそれぞれに締め上げることで、着座の際、あるいは着座後の姿勢を適切な安楽状態を形成・保持しうるので、身体が弛緩した状態を容易に実現しうることとなる。特に、大きさの異なる２種類の内袋であることから、充填材の多い袋は拘束バンドの締め上げに応じて嵩増しして高さが得られやすくなるので、部分的に頭頂部側を高くするといった形状を形成しやすくなる。すると、通常は流動しやすい発泡粒状体が充填されたクッションに着座する場合でありながら、一方では腰を落とすようにクッションに背中全体を預けつつ、頭部側を特に高く、膝側を腰よりも高く位置せしめることが簡易にできるので、背中を丸くするような体勢、すなわち一般的な弛緩した安楽な着座姿勢を簡易にとることも容易となる。そこで、着座者が長時間快適に着座し続けることに適したクッションとなる。
【図面の簡単な説明】
【００４７】
【図１】本発明の実施の形態１のクッションを示す斜視図であり、大小２つの内袋部を上に記載したが、これは、下に示した外袋体に収納されてクッションとなる。
【図２】本発明の実施の形態１のクッションを、拘束バンドを用いて形状を調整する様子を示した図である。上段（ａ）が調整前であり、中段（ｂ）が拘束バンドの折り返し部を引っ張って形状を調整した後の様子を示す図であり、下段（ｃ）が、拘束バンドの長さを調整した状態で着座した様子を示す図である。
【図３】本発明の実施の形態１のクッションの正面図である。向かって左が頭部側、右が脚側の着座方向である。
【図４】本発明の実施の形態２のクッションの斜視図である。
【図５】本発明の実施の形態２のクッションの脚台を組み立てた図である。
【図６】本発明の実施の形態２のクッションの上平面図である。
【図７】本発明の実施の形態２のクッションの正面図である。向かって頭部側、右が脚台であり、脚台は水平に折り畳んだ状態である。
【図８】本発明の実施の形態２のクッションに着座する様子を順を追って示した図である。（ａ）は脚台を水平にして着座する様子を、（ｂ）は脚台を斜めに起こした様子を、（ｃ）は拘束バンドや引出ベルトを調整して着座する様子である。
【図９】本発明の実施の形態３のクッションの斜視図である。
【発明を実施するための形態】
【００４８】
本発明を実施するための形態について、適宜図面等を用いながら説明する。
まず、本発明のクッション１は外袋体２の内部に伸縮性の内袋部７があり、その内袋部の内袋には、充填材の粒状発泡樹脂体８として、ビーズ状の粒径の小さな発泡スチロール樹脂を内部に充填している。ビーズの粒径は、数ミリ以下の粒状であればよいが、流動性と体圧分散の観点からは、たとえば粒径が直径１ｍｍ以下、特に０．５ｍｍ以下の粒であることが望ましい。そして、充填剤としてビーズ状の粒径の小さな発泡スチロール樹脂を内部に充填した伸縮性素材でできた内袋部７の内袋を、伸縮性の面と非伸縮性の側面で形成された外袋体２に収納し、その非収縮性の側面５にさらに拘束バンド１１を１本以上巡らせることとなる。
【００４９】
次に、内袋部７の内袋は、追従性の観点からは伸縮性の袋体であることが望ましい。内袋はカバーの外袋体２の平常時の容積と同量以上の粒状発泡樹脂体８を充填した後、ファスナー等を閉めることでこれを封止して用いる。このように充填量を増しておくことで、流動しすぎてしまう動きを抑制しやすくなり、凹んでしまいクッション性の低下を回避しやすくなる。そして、バンド１１に拘束された側面５の形状が保持されやすくなり、充填された粒状発泡樹脂体８の流動が抑制されるので、着座者の荷重による沈み込みが抑えられ、姿勢が崩れにくくなる。
【００５０】
外袋体２は、たとえば直方体（全長１２００ｍｍ×幅６００ｍｍ×高さ４５０ｍｍ）もしくは円柱形状とし、その上平面の着座面３に、底面４を下底とし、これらの面に伸縮性素材を用いてなるものとする。伸縮性素材には、たとえば糸自体をスパンデックスなどのポリウレタン弾性繊維糸を用いることで伸縮性を確保した素材を用いることができる。また、ダンポールニットと称されるような二層の編地を中糸で接合する構造を用いることで、構造的に伸縮性を得ることにしてもよく、さらにダンボールニットの繊維の中糸等にスパンデックス糸を組み合わせて伸縮性を高めてもよい。このような二層の編地からなるダンボールニットのような編地を用いれば、丈夫でかつ伸縮性に富んだものとなるので、本発明に適用すると、着座面３や底面４の通気性と耐久性が確保できるので、長時間の着座にも適するので特に好適である。なお、伸縮性の着座面３と底面４は、同質の素材であってもよく、上下の面を入れ換えて使用しうるものとしてもよい。なお、外袋体は、直方体に限らず、上から平面視して頭部側の横幅が太く脚側が狭い台形や涙滴状の形状であってもよい。頭部側を大きくすることで厚みを増しやすくなり、上体側の姿勢調整の余地が大きくなる。
【００５１】
他方、側面部５の非伸縮性素材には、一般的な厚手の布帛や塩化ビニル樹脂のようなプラスチック樹脂シート、ゴムシート、皮革、人工皮革などが適用できるが、強度と通気性や放熱性の点なども踏まえて、たとえば帆布のような厚手で丈夫な織物が特に好適である。
【００５２】
また、拘束バンド１１は、非伸縮性の帯又は紐からなるものであり、特に丈夫で伸びにくいナイロン製やポリプロピレン製の帯ベルトなどが好適である。拘束バンド１１を外袋体２の側面５の一部に巡らして、拘束バンドの周囲の側面５が着座者の荷重で外に押し拡げられにくなるので、姿勢変化が抑制される。非伸縮性の拘束バンド１１をベルト状に側面５に配することで、拘束バンド１１の周囲の側面５の伸長を拘束することができることとなる。すると、側面５全体を厚い部材で強固に拘束する場合に比して軽量なものとなるので扱い易くなる。また、側面５全体の素材をぶ厚い丈夫なものに全て置換することに比べれば拘束バンド１１を用いることは経済性にも優れたものとなる。
【００５３】
そして、第２の手段の場合には、拘束バンド１１を側面５の一部に巡らせたうえで、少なくとも側面５の２点と係留し、その間のバンド長さを可変とすることで、必要に応じてバンド長が縮められるようになっている。側面５の一部をバンド１１で拘束することによって、拘束バンド１１の周囲の外袋体側面が着座者の荷重で流動して外側に拡がりにくくなることに加えて、さらに着座後にバンドを引っ張り縮めるなどすることで拘束バンド１１の長さを調整することで、外袋体側面５に巡らした拘束バンド１１で外袋体側面５の一部を締めつけることが容易にできるようになる。このように積極的に締めつけることによって、単に膨れにくい、というにとどまらず、使用者の荷重で変動してしまった姿勢を着座後であっても所望の位置までさらに修正していくことが容易となっている。
【００５４】
拘束バンド１１は、ベルト状のもの（たとえば全長２２００ｍｍ幅３８ｍｍのプリプロピレン製）として、その一端を外袋体２の側面５に縫着して係留部とするか、あるいはベルトの外袋体の側面に縫着された金属性あるいはプラスチック樹脂製のリング状のフック（たとえば平カンやＤカン、カラビナ。）、あるいは材質が同じベルト素材をリングとして、これらを係留部１２としてこれにベルトを通してこれを折り返すことで係留し、折り返した拘束バンドのベルトの他端はバックルやアジャスターなどを用いて挟持するようにして保持することで、折り返しの長さを調節・保持可能とすることができるようにしてもよい。これらのバックルと係留部によって、拘束バンド１１の長さの調整は自在となっているので、積極的に着座姿勢の調整ができることとなっている。
【００５５】
そして、拘束バンド１１は、縫着部側のパーツＡのベルトと係留部側のパーツＢに分かれたベルトをバックルを介して繋げて１本の拘束バンドとして外袋体２の側面周方向に配するものとしてもよい。たとえば、パーツＡは縫着部１４から延びたベルトの一端をバックルに係止し、他方パーツＢはバックル側をベルトの折り返し部とし、パーツＢのベルトの他端を係留部１２として外袋体２の側面５に縫着し、バックル内のリング部に挿通して折り返すすことでパーツＢ側の長さを調整可能とすることで拘束バンド１１のベルト長、すなわち縫着部１４と係留部１２間の長さを調整可能としたものでもよい。
【００５６】
そして、前記の第３の手段にあるように、拘束バンド１１のたとえば中央部を外袋体２の側面５の一部に縫い合わせるようにすることで、側面５の一部の強度を増すことができるとともに、バンド長の調整によって縫着部１４の周囲を強く内側に引き寄せるようにして周囲の拡がりを抑制することができる。具体的には、外袋体２を直方体とした場合、上平面の短辺の一方を頭部側、他方を脚先側とすると、頭部側、あるいは脚先側の外袋体２の側面の中央に周方向に巡らしたベルト状の拘束バンド１１を長手にわたって３０〜８０センチほど縫着し、これを拘束バンド１１の中央の水平な縫着部１４とする。そして、この中央の縫着部１４から延びた左右のバンドは、バックルに係止され、外袋体２の左右側面にそれぞれ設けられている係留部１２のパーツＢが、係留部１２と縫着部１４の端部との間の長さを調整することで、バンド長が可変に調整できることとなる。
【００５７】
すると、まず縫着部１４の周辺部分の形状が崩れにくくなり、荷重がかかっても形状変化が低減される。そして、バンド長が調整され、拘束バンド１１の左右部分の長さが縮まると、外袋体２の側面５の一部に巡らされた拘束バンド１１が外袋体２の側面５を締めつけることとなるが、中央の補強された縫着部１４は、周囲の外袋体２と一体となってクッション１の中心側に面として押しつけられることとなる。左右のベルト長の変動する部分の近辺でベルトの収縮に応じて外袋体２は収縮するが、縫着部１４の周囲は、面として一体的にクッションの中心に向かって移動するので、全体的にクッション１内部の粒状発泡樹脂体８を周囲に押し上げるように移動させて外袋体２の一部をかさ高な状態に形状修正することが容易にできることとなる。
【００５８】
ところで、拘束バンド１１の縫着部１４は、外袋体２の側面５である非伸縮性素材の帆布に拘束バンド１１を縫着して、バンド長の変化に応じて縫着部１４が周囲の外袋体側面５といっしょに追従して移動することができるものである。この縫着部１４は、拘束バンド１１の長手方向にわたって外袋体の非伸縮な側面５と大きく縫着されるものあれば好適であるが、その他に、拘束バンド１１の端部を１０ｃｍ程度縫着しただけであってもよい。そして、端部を縫着する場合には、縫着部の周囲に外袋体の内面側に非伸縮の帆布等の宛布をすることで、周囲を補強して、拘束力を補強してもよい。
【００５９】
さらに、前記第４の手段にあるように、外袋体２の側面の一部に周方向に巡らされた拘束バンド１１は、縫着部１４の左右端近傍から係留部１２までの間は１本の帯状のバンドとしつつ、中央の縫着部１４では分岐して複数本のバンドが離間して平行に配されるようにして外袋体２の側面５と縫着されるものとすることができる。複数本に分岐しつつそれぞれ水平に縫着されたバンド中央部は、外袋体の側面の一部に高さを異にして平行に離間して縫着されたものとなっている。すると、係留部１２と縫着部１４の間では１本の帯状のベルトであるから、この部分のバンド長さ調整して縮めるときには、左右それぞれの帯を１本ずつ締め上げることになるので、そうすると縫着部１４の複数本の平行したバンド中央部が大きな面となって周囲を押し上げるようにしながらクッション１の中央側へと移動することとなる。
【００６０】
たとえば、高さ４５ｃｍの直方体の外袋体１の側面５に中心高さ位置が１０ｃｍと３２ｃｍとなるようにして拘束バンド１１を水平方向に長手に２５〜５０ｃｍ程度、水平に縫着している。約幅４ｃｍのバンドが、約２０ｃｍ離間して平行に水平に縫着されたバンドが側面に縫着して配されることとなる。
【００６１】
そして、拘束バンド１１の左右の長さを縮めることで、１本のバンドの長さ調整で、複数本のベルト縫着部１４全体がより広範囲にクッションの内部に向かって面として強く圧迫されることとなる。離間した縫着部１４同士が面として中心方向に押されるので、内包される内袋部７への拘束力が増して、クッション形状を縫着部１４近傍では大きく変動させることが容易となる。たとえば、着座者の頭頂部の上方の側面に縫着部１４がある場合、内部の粒状発泡樹脂体８が大きく押し上がり、腰が低く上半身が斜めに高くなる姿勢をするときなどに、頭部をもたさせかける部分を締め上げることで頭部には十分なクッションの厚みと高さを確保できることとなる。
【００６２】
なお、平行したバンド縫着部１４が面として圧迫しうることが重要なので、分岐した先から縫着すること以外にも、分岐する部分から縫着しはじめてもよい。離間した水平な縫着部１４を備えながら、周囲の外袋体も巻き込むように拘束して形状を積極的に変形しうることになるので、バンドより大きな面自体をそれ以上に補強せずとも済むので、最小限な補強で実現できることとなっている。
【００６３】
なお、前記第５の手段にあるように、拘束バンド１１は、外袋体２の側面の外側に係留部１２で係止されつつ、外袋体２の側面に開口した挿通穴から外袋体２の内面と内袋７の外面との間の空隙を通るようにバンド中央部１３が外袋体の内面側に挿通され、該バンド１１は他方の開口から再び外袋体２の外側面へと露出するように配されていてもよい。そして、外袋体側面の内面とバンド中央部とは縫着されることとなるので、縫着部１４の外袋体側面には、バンド部の露出はなく、スムーズな外面が提供されることとなる。
【００６４】
加えて、縫着部１４の両端から開口部にかけて、バンドは外袋体２を拘束することなく、内袋を締めつけることができるので、非伸縮性の外袋体２に阻害されることなく、バンドで内袋を直接体に締めつけることによって、粒状発泡樹脂体８の流動や姿勢移動を拘束することができ、より大きな締めつけ効果を発揮することが可能となっている。
【００６５】
また、前記第６の手段にあるように、外袋体２の側面の一部に巡らされた拘束バンド１１を複数本配するようにすると、それぞれのバンドについて長さ調整が適宜できるので、各拘束バンド毎に調整して適切な座り心地を実現しやすくなる。複数の拘束バンド１１の配置としては、たとえば、外袋体側面５を周方向に複数本のバンドを用いて一周巡らすように順に配してもよいし、あるいは拘束バンド１１を高さを変えて上下に配してもよい。たとえば、着座者の頭部側の周囲側面に巡らした拘束バンド１１と、足元側の側面に巡らした拘束バンド１１とを配することで、頭部側のバンドの締め込み方と脚先側の拘束バンド１１の締め込み方を変えることができるので、頭部と脚部のそれぞれの高さ位置を好みの状態に調整しやすくなる。内袋に充填された粒状発泡樹脂体８のビーズの流動域が抑制されるからである。
【００６６】
また、外袋体２の頭部側の周囲側面に拘束バンド１１を高さを変えつつ複数本平行に配することで、拘束バンド１１毎に締め込み具体を調整しうるようにすると、粒状発泡樹脂体８の移動が効率的に拘束されて、所望の着座姿勢を形成しやすくなる。たとえば、頭部側と脚部側それぞれに配した拘束バンド１１で締めつけ具合いを変えることもできる。また、頭部側に上下方向に高さを変えて複数の拘束バンド１１を平行的に配した場合には、下方の拘束バンド１１の締めつけ具合いを緩めにしつつ、上方の拘束バンド１１の締めつけ具合をきつくするなどしてして、上方へ頭部側のクッションの立ち上げを高さ４５ｃｍ以上に確保して沈み込みにくくするといったことができる。
【００６７】
ところで、前記第７の手段にあるように、本発明のクッション１に、拘束バンド１１とは別に引出ベルト１８を設けると、引き出すだけで引き出した方向に粒状発泡樹脂体８のビーズを従動させるようにして移動させることができる。すると、着座者の周囲にビーズが流れ込んで支えるので、姿勢保持が容易となる。たとえば、引出ベルト１８は、幅４ｃｍ、長さを１ｍ５０ｃｍ〜２ｍ５０ｃｍ程度とし、ベルトの両端を直方体の外袋体２の左右側面内面側の下方の一端に左右の縫着部位１９が対向するような位置で縫着するものとし、ベルト中央部２１を外袋体２の開口２０から外部に露出させておき、任意に引き出せるようにしておく。開口２０は、縫着された側から遠い側面に１カ所もしくは２カ所設けて、その開口２０からベルト中央部２１を外部に露出させることとする。２カ所の開口２０を設けて引出ベルト１８のベルト中央部２１をそれらの開口から外部に出すようにすれば、引出ベルトが外袋体側面５の開口２０，２０の間で外袋体２に移動が遮られるので、外袋体２の内面と内袋部の隙間に入り込んでしまうことがなく、常時ベルト中央部２１が露出しているので引き出しやすいものとなる。
【００６８】
引出ベルト１８が引き出されると、縫着された部位１９の周囲の側面がクッションの中央に引き寄せられるように引き動かされるとともに、ベルトの移動に連れてビーズ８が全体的に大きく流動することとなる。なお、ベルト中央部２１は、把持しやすいようにベルトを予め湾曲させて樹脂固めして持ち手としておいてもよい。なお、引出ベルトは、引き出す関係で、縫着部は左右側面の脚部や腰部の側の下方端に設けておき、開口は頭部側側面の少し高めの中央よりの位置に設けておき、下からやや上方へと引き上げるような動作でもって、引き上げるように引き出すことがビーズを従動させながらフィットさせるうえで望ましい。
【００６９】
そして、引出ベルト１８と拘束バンド１１とは、それぞれをひとつのクッションに組み合わせて実装して用いることができる。引出ベルト１１は粒状発泡樹脂体８を大きく流動させて着座者の姿勢にフィットさせることに適するものであり、引き出すだけで調整でき、長さを固定する動作を要しないものであるので便宜であるうえに、側面の周囲に拘束バンド１１を短めに左右にそれぞれ配すると、局所的に長さ調整して固定することができるので、引出しベルト１８で形成された姿勢を保持するべく拘束バンドの長さを調整することでさらに姿勢を移動したり、得られた姿勢を長期に保持することができるので、一定時間、好適な姿勢を保持する際に適するものとなる。
【００７０】
ところで、本発明のクッションの外部側に脚台を設けるようにしてもよい。たとえば、前記第９の手段にあるように、クッションをあらかじめ着座面３の一部が傾斜面となるように傾斜させてあるものとし、着座者の頭部を右側、着座者の脚を左側とした場合、頭部を支えるクッション右側は高く、左側に向かってクッションの途中からゆるやかに傾斜して下っていくような形状の外袋体２とし、内部に粒状発泡樹脂体８を充填した内袋によって着座者を傾斜状態で支持するものであって、さらに斜面の下端部から脚を載せる脚台１５を外袋体２から突出させるように設けて着座者の上肢をクッションの外側で支持しうるものとすることができる。
【００７１】
上肢支持用の脚台は、載置部１６を下方から支持部１７が支えるようにしてクッション側の傾斜とは逆方向に傾くものであって、クッション側から外方向に向かって脚台１５の載置部１６はやや高く上昇している。すなわち、クッションの傾斜と上肢支持用の脚台１５の載置部１６の傾斜は、緩いＶ字を描くこととなる。そして、着座者は緩いＶ字に沿って身体をくの字に曲げるように腰掛けて、すなわち腰部をクッションの傾斜面下端付近に位置するようにして腰掛けることができる。すると、クッション内の粒状発泡樹脂体８によって着座者の上体の荷重が分散支持されるとともに、上肢の内腿側も脚台に支持されるので、腰を丸く曲げた形で着座でき、着座者の座骨が前方に押し出されて傾倒し、下腹部の下腸腰筋群と臀部側の殿筋群の二つの筋肉のバランスが図れるので、弛緩された安楽な姿勢を簡易に形成しうることとなる。
【００７２】
さらに、前記第１０の手段にあるように、外側に張り出すように突出する脚台１５を水平状態から斜めに立ち上がった状態に起伏自在に角度可変とした組み立て自在なものとしてもよい。脚台には、上肢を載せ置くための載置部１６があり、この載置部１６は外袋体２の下端側の外縁と縫着等で接合されており、その接合された外縁部を軸として載置部１６は伏せた状態の水平姿勢から、斜めに起こされた姿勢まで起伏自在となっている。また、斜めに起こされた載置部１６は、下方から支える支持部１７によって角度調整自在に支持されている。
【００７３】
こうした折り畳み式とするために、載置部１６は、幅５０ｃｍ程度の長さ３０ｃｍの布張りの板に帆布等の生地を張り、その左右をクッション製の枠体で支持し、載置部１６の下端は、外袋体２と縫着されているので、その縫着部１４を軸として斜めに立ち上がるようになる。載置部１６の下方から、いわばつっかえ棒のようにして支持部１７が下方から支えるので、支持部１７の傾倒させ具合次第で載置部１６の脚をのせる傾斜角度が自在に調整されることとなる。支持部１７は、水平に折り畳んだとき邪魔にならないように、たとえば、板厚１ｃｍ程度の集成材などを用いて四角形の枠体等に形成した部材を用いるとよい。
【００７４】
健常者であれば、折り畳み式の載置部１６など用いずとも着座可能であるから、こうした脚台１５はなくとも、直方体状のクッションに着座して安楽な着座姿勢をとることができる。しかしながら、リハビリテーションに取り組んでいる身障者のなかには、筋肉が硬直してしまっており体の可動域に制限があるなどしているので、着座のための動作自体が十分にとれない者も含まれている。それらの身障者が緊張を緩和させて弛緩させるために本発明のクッションに着座しようとしても、高さのあるクッションであると、介添者の手を借りても、労力を要することになしに直方体の中央に腰掛けることは容易ではないので、気軽にリハビリに用いることが困難となってしまう。
【００７５】
そこで、高さの低くなった上平面の傾斜面下方側にに安定的に腰を下ろし、上体をクッションにもたせかける一方で、水平な脚台の載置部１６に上肢を載せ置くようにしてから、載置部１６を斜めに傾斜させるように起こして、上肢を屈曲させ、左右のバンド長を調整して頭部側のクッションの高さや位置を調整することで、適切な弛緩可能な姿勢にあわせた形状を形成することとする。
【００７６】
本発明のクッション１は長時間身体をもたせかけることにも適するが、身障者へのリハビリテーションに用いることに特に適している。通常時、筋肉が緊張状態となってしまい硬直して可動範囲が狭まった身体が、本発明のクッションで緊張が解放されるように荷重バランスをはかるべく各拘束バンド１１の長さを調整して、本人に適した着座姿勢になるよう調整すると、筋肉の緊張が緩和されることとなる。すると、筋肉が緊張から解放された結果、身体が楽になり、１０分ほど着座するだけで緊張から硬直していた手足の関節が可動しやすくなる。
【００７７】
たとえば、脳梗塞等で身体に不自由を生じた高齢者のリハビリテーションのために、本発明のクッション１に着座させる場合、まず、クッション１に着座した後、本人の湾曲した姿勢に沿わせるように、頭部や脚を支持する高さを拘束バンド１１や脚台１５の高さを調整して形づくる。安楽な姿勢を得た後、その後１０分程度着座させてから、次いで身体関節を可動させるリハビリテーションとして可動範囲を拡げるよう四肢への運動を施すこととする。数日おきに繰り返えし着座させてから施術すると、本人や施術者に過度の負担なく、スムーズに可動範囲の回復を進めることができた。緊張を緩和させずに施術者の腕力等で可動を促すのは、非常に労力がかかるので、リハビリテーションの効率が大きく異なるものとなった。
【００７８】
また、前記１１の手段にあるように、大内袋９と小内袋１０と、内袋部７の内袋の大きさを２種類異なったものとすることで、頭側と脚側の充填材の量に変化をつけることができるので、拘束バンド１１を縮めることで形成できる高さに差を設けやすくなっている。たとえば、大内袋９は幅７５０ｍｍ×長さ７５０×高さ４５０ｍｍ、小内袋１０は幅７５０ｍｍ×長さ４００ｍｍ×高さ２７０ｍｍとし、内袋部７が外袋体２の容量よりも大きな容量となるものとし、さらに粒状発泡樹脂体として、大内袋にはパウダー状のビーズを３ｋｇ、小内袋には２ｋｇ充填する。さて、外袋体２とよりも大きな容量の大小の内袋部７とすることで、外袋体２は、伸縮面を中心に内部から押されて丸く曲面上に膨らんだ状態となっている。こうすることで直方体の外袋体２が内容物によって十分に膨らむこととなるので、着座者の荷重を支承しても、粒状発泡樹脂体のビーズが流動しすぎず、着座姿勢を保持しやすいものとなり、クッションがつぶれたように凹んでしまうこともない。他方、大内袋と小内袋は、それぞれ十分にビーズが充填されているとはいえ、伸縮しうるうえに、外袋体を十分に膨らませているとはいえ、大内袋、小内袋とも、それぞれ単体としてはビーズが内部で移動するだけの余裕ある大きさであり、形状が変化すれば、内部でビーズを流動させる余地がある。そこで、拘束バンド１１の長さを調整して締め上げれば、その姿勢を変化させることが容易となり、また、着座者が荷重をかけていった場合にも、粒状発泡樹脂体８のビーズが流動しすぎることがないので、所望のクッションの高さを十分に確保できることとなる。
【実施例１】
【００７９】
図１に本発明の実施の形態の一例として、全長１２０ｃｍ×全幅６０ｃｍ×全高４５ｃｍの略直方体状の外袋体２と、その内部に内袋部７として、その内部に粒状発泡樹脂体の１ｍｍ径のビーズが充填された伸縮性のダンボールニットからなる全長の異なる大小二つのサイズの内袋を内包するクッションを示す。この内袋部は、全幅と全高は外袋体と同様であるが、全長が７５ｃｍの大内袋９と全長が４０ｃｍの小内袋１０とを外袋体２に内包している。外袋体２の上平面は１２０ｃｍ×６０ｃｍの伸縮性素材であるダンボールニットからなる着座面３であって、その側面は、２４０×４５ｃｍの非伸縮性の帆布からなり、それらを縫製して、その一部にファスナーを設けて開閉自在な開口を設けて、外袋体の内部に内袋を収納可能としている。大小の内袋のいずれも、袋が伸びてやや膨らむ程度にビーズを充填しており、やや多めの容量であることから、内袋部は外袋体を押し広げるようにしてその内部に収納されることとなるので、嵩高が確保されやすいこととなる。そして、大内袋９側は着座者の頭部から腰までの上体部分を支持するものであって、小内袋１０側は着座者の臀部や上肢を支持するものである。また、頭部側の側面から底面にかけて、外袋体はＲ２０ｃｍ程度でゆるく角丸めされ、角丸めされた部分も側面と同様の帆布で形成されているので、底面の伸縮性素材のダンボールニットのサイズは、上平面が上面全体の長さ１２０ｃｍであるのに対して、底面は長さ９０ｃｍ×幅６０ｃｍである。つまり、着座者の頭部に近い底面側は、角丸めした帆布素材の面を大きく確保することで、伸縮しにくいものとしている。伸縮しにくい素材を頭部側の周囲に用いることで、ビーズが周囲に流れにくくなることから、拘束バンドのバンド長を調整したとき、頭部側の厚み（高さ）を確保しやすくなり、好適である。
【００８０】
クッション１の直方体の外袋体２の側面５には、右側面中央から頭部側側面を経て左側面中央までの拘束バンド１１と、左側面中央から脚側の側面を経て右側面中央までの拘束バンド１１とが、上下の高さを変えて２セットずつ合計４セット配されている。これらの拘束バンド１１は、いずれも縫着部側のパーツＡと係留部側のパーツＢとを、バックル２５を介して繋げて拘束バンド１１としたものである。パーツＡはバンドが外袋体の左右の側面開口（バンド挿通穴２２）から内部へと挿通されるようになっており、左右の開口（バンド挿通穴２２）近辺で挿通後に二股に分岐しており（分岐部２３）、その分岐したバンドは頭部側面あるいは脚部側面側の外袋体内面を平行に離間した状態で外袋体２の側面内面に沿うように内袋部７との隙間に配されるものであり、さらに離間した部分の中央が外袋体の内面側と長手方向（水平方向）に約５０〜６０ｃｍにわたって縫着され、縫着部を形成している。
【００８１】
拘束バンド１１のパーツＢはバックル２５側をベルトの折り返しとして折り返し部２４を引っ張る紐状に形成し、パーツＢのベルトの他端を係留部１２として外袋体２の側面５に縫着し、バックル内のリング部に挿通して折り返すすことでパーツＢ側の長さを調整可能とすることで拘束バンド１１の全体のバンド長、すなわち縫着部１４と係留部１２間の長さを調整可能とするものである。図２の（ａ）（ｂ）に、拘束バンド１１の長さを調整して、クッション１の形状が変化する前後の様子を示す。なお、図２の各拘束バンド１１は帯状であり、その一部は外袋体２の内部に沿って配されているが、簡略化して配置を直線で示したものである。側面５のうち、長さが具体的に詰まっていくのは、係留部１２と縫着部１４の間の距離であって、縫着部１４側の面は全体として面として移動するにすぎない。側面が移動する様子を図２（ｂ）に太い矢印で面が全体として押し上げられるイメージとして矢視で表した。縫着されている部分の周囲の側面５は収縮させられることはないので、バンド１１の長さが縮められるとき、頭上側の側面もしくは脚下側の側面に配された縫着部１４は、その周囲の外袋体側面５とともに、クッション１の中心に向かって引き寄せられるようにして移動することとなる。
【００８２】
このクッションに着座した場合の着座者の姿勢調整については以下のように実施する。まず、大内袋側が上体、小内袋側が脚部を載せる方向であり、大袋側の底面の頭部寄りの部分の外袋体は、角丸めされており、非伸縮性の帆布が大きく配されており、非伸縮なために、バンド長を調整したときに上体側の着座姿勢が大きく変化しやすくなっている。まず、拘束バンドは緩めておき、着座してから、両脇のバンドの折り返し部２４を手でつかみ、引っ張ることで、拘束バンド１１の縫着部１４を中心に頭部側の側面５がクッション１のへと引き寄せられるように面として移動するので、この動きに従動して内袋部７内に充填された粒状発泡樹脂体８のビーズが、伸縮できる部分へと逃げるように流動して移動し、その結果、頭部側が高く位置した上体で保持されるようになる。拘束バンド１１は上下に高さを変えて２セットあるので、快適な姿勢になるように上下で長さを変えて締め具合を適宜調整する。たとえば下側のバンドの長さを短めにするべく、折り返し部２４を大きく引っ張ることで、座面が上側にやや押しあがるようになり厚みが増したようにクッションの形状が変化する。同様に脚下側を巡る拘束バンドも、着座後に引っ張ることで、腰よりも膝下の高さを高めにすることが容易にできる。また、一端調整したバンド長のままであれば、何度も座る場合、その都度調整せずとも、従前の体勢を保持しているので、図２（ｃ）に示すような姿勢で、最初から快適な安楽姿勢を得ることが容易となる。
【００８３】
さて、上記のクッション１に着座して、拘束バンド１１のバンド長を折り返し部１４を引っ張ってそれぞれに調整すると、単なる直方体のビーズクッションと比べ、クッションの側面形状が縮むなどしてより複雑に変化して図２（ｂ）に示すように、クッションが立体的な形状となる。たとえば、頭部側のビーズの厚みが高く腰部の当節するあたりが低く、かつ、上肢が載置される部分から膝裏に向かって反対方向に高くなるように屈曲するような形状を得てこれを保持することが可能となる。すると、着座者は頭部を高くすることで首に負荷をかけずに正面のテレビ等を正視しやすくなり、かつ、斜めに身体をもたせかけることができるので体圧が分散され上体が広い面で保持される。また、腰のあたりをまるめるようにして臀部と上肢を反対の傾斜面に載せるように着座できるので、腸腰筋群と殿筋群のバランスにみあった体勢となり、無理が生じずに安楽な姿勢を形成できることから体の筋肉の緊張が緩和された状態を保持しやすいものとなっている。さらに、伸縮性の上平面が身体の形状に沿い、かつビーズが身体の周囲を全体的な接地によって周囲から支承しているので、十分な体圧分散ができ、また、伸縮性の上平面なので、着座状態で少し体を揺り動かしても支承しつづける追従性があることから、単にガチガチに拘束して姿勢形成したクッションとは異なり、長時間着座しつづけても疲れず、快適に座り続けることができた。
【実施例２】
【００８４】
次に、他の実施の形態として、図４に、クッション１の外袋体２の上平面が途中から傾斜して下降し、下降した端先に脚台１５が設けられているクッションを実施例２として示す。外袋体１の形状とサイズは、全長９０ｃｍの外袋体は、向かって左を頭部側、右を脚台側とするとき、頭部側の横幅が７０ｃｍ、脚台側の幅が５０ｃｍとなっており、矩形ではなく、台形状となっており、上から平面視したとき、外袋体１の頭部側の二つの角はそれぞれ半径３０ｃｍで角丸めされている。また、外袋体１は、その側面からみると、頭部側の上平面の高さは４０ｃｍであり、脚台側は高さが４ｃｍであって、頭部側の端から３０ｃｍのところから半径６０ｃｍの緩やかな下弦の円弧を描きながら脚台側へと下降している。また、外袋体は、底面は全面が伸縮性のダンボールニットであり、側面は非伸縮の帆布生地からなっている。また、上平面は、着座者の背面が当接する着座面となる傾斜部分には全て伸縮性のダンボールニットを用いているが、頭部側の上平面に２０〜２５ｃｍ幅程度の非伸縮性の帆布を用いている。これは、着座者の頭部を締め上げる際に、伸縮性の着座面に隣接する部分を非伸縮性として拘束力を高め、クッション形状の変化に追従するものとなっている。
【００８５】
そして、短い長さのポリプロピレン製の拘束バンド１１が左右側面にそれぞれに配されている。各拘束バンドは、頭部側の側面５に縫着部を備えたパーツＡを配し、バックルを介して左側面あるいは右側面に配した係留部を備えるパーツＢと一体となったバンドであり、パーツＢはバックルでバンドを折り返すことで係留部とバックル間の長さを可変に調整自在としている。パーツＡの縫着部は、外袋体の開口から内部に挿通されたベルトが外袋体の内面側と縫着されているものであり、縫着部１４には、さらに外袋体の内面側に三角形の当て布を配して補強してあり、この当て布が周囲の側面を面として引き寄せるように移動させることができる。当て布にはさらにポリプロピレン製のバンドと同素材のベルトを補強してこれに縫着せしめてもよい。また、係留部も、外袋体の開口から挿通されたベルトが外袋体の側面に固定されているものである。左右の拘束バンド１１を個別に調整できるので、身障者等で着座時に体が左右いずれかに傾いてしまう傾向にある者に対しても、個別に締め具合を変更できるので、着座姿勢に沿うように支持できるので、緊張状態を解放するための適切なサポートが形成しやすくなっている。
【００８６】
さらに、外袋体の頭部側の側面中央に引出しベルト１８の持ち手となる中央部２１が露出しており、この引出しベルト１１は幅４ｃｍのプリプロピレン製で、外袋体２の頭部側の側面中央の２カ所の開口２０から外袋体の内部を通って外袋体の左右各側面の脚台１５近傍の下端に縫着により固定されている。着座後に引出ベルトの中央部を引っ張り出すと、引出す際に周囲の粒状発泡樹脂体のビーズが引き出される方向に流動しながら、着座者の上体を上方へと引き上げるようにして持ち上げるので、その上体で身体のラインにビーズが流動して自然と沿うようになる。そして、引出ベルトは固定せずとも、着座者の荷重により戻らずにそのままの状態が保持されるので、着座者の安楽な姿勢に沿ったビーズの配置を安楽に形成させることができる。脚台１５は図５に示すように、折り畳み可能となっており、着座後に傾けて載置部１６を下から支持台１７が支えるようにして使用する。傾動角度は支持台１７の傾きに応じて調整される。支持台１７には木製の集成材の板等を用い、これを外袋と同様に帆布等で被覆したものとする。
【００８７】
上記のクッションに、四肢の関節の稼働範囲が狭くなっている高齢の身障者を以下のように着座させて用いた。図８の（ａ）〜（ｃ）に着座していう様子を示す。まず、着座者の腰部がクッションの傾斜面下方に位置し、図８（ａ）のように、水平な状態のままの脚台１５の載置部１６上に臀部とふとももを載せ、着座者の頭部を、脚とは反対側の傾斜のない高く分厚い部位側に位置させるようにして、着座者を仰向けに着座させる。この際、図４に示すように、脚台１５に円形のポジションマークを描き、これに臀部が当接するようにすると、適切な着座姿勢を形成しやすくなる。脚台１５は着座時に水平位置だと腰を下ろす部位が低いので、身体に障害があっても安全に着座することが容易にできる。
【００８８】
次に、図５及び図８（ｂ）に示すように脚台１５の載置部１６を傾斜させて支持部１７で下方からこれを支持するようにすることで、着座者の膝裏を高くするように上肢を持ち上げて、上体と上肢を緩やかに屈曲させた状態で腰掛ける姿勢を形づくる。水平状態から載置部１６を斜めに起こすことで、臀部と太股が載置部１６に支承されながら、上体をクッションの着座面３に凭せかけるような状態の姿勢となる。その際、着座者の上体を外袋体２に安楽にもたせかけることができるべく、上体の姿勢にあわせて頭部側のクッションが高くなるように厚みを調整する。そのために図８（ｃ）に示すように、拘束バンド１１のベルト長さを矢印方向に引っ張るなどして調整し、外袋体２左右側面５を締めつけることで、上方のビーズクッションをクッション中心側に全体的に移動させる。そして、下方から上方へと頭部側に露出している引出しベルト１８を図８（ｃ）の矢印方向に引き出して、上部側面が中央に全体的に外袋体ごと収縮した上体で、内部の粒状発泡体８のビーズをやや上方に引き戻すようにして、身体の周囲の隙間に流動させることで、ビーズが自然に誘導されて姿勢移動で生じた隙間を埋めることとなる。
【００８９】
このようにして、四肢が不自由な着座者を着座させた後、拘束バンドの長さを調整し、引出ベルトを引っ張って姿勢を十分に保持した後、１０分間そのまま安楽に着座したまま放置し、その後、着座直後と１０分経過後での肩関節の可動範囲の差を確認した。すると、着座直後に比べて、肩関節の可動域が１０度程度拡がって、肩が若干回るようになっており、可動域に変化が観察された。一般的な水平なクッションや寝台に寝かせただけでは身体に沿わない形状のため、筋肉が硬直したままであり、僅か１０分程度で可動域が変化することは認められなかった。他方、本発明のクッションであれば、１０分で変化が認められた。これは、現状の着座者の姿勢に追従するようにして体圧を分散しながら支承することができるので、全身を無理なく支持したことで、緊張が緩和される安楽な状態が醸成されたものと思われる。着座者の筋肉の緊張がほぐされたことから、わずか数分から１０分程度の使用にもかかわらず、関節の可動域が拡がったことが確認された。
【００９０】
このように、本発明を身障者に適用する場合、現状の姿勢上体にあわせた安楽な体勢のまま支承することができるので、関節の可動域を拡げるリハビリテーションが効果的に実現できる。すると、無理やりに可動範囲を拡げるような運動負荷を与えずとも済むので、その後のリハビリテーション訓練が効率良く進められるようになる。そして、着座者にも、介助する者にも身体的な負担が少なく、繰り返しリハビリテーションに取り組むことができる。また、リハビリテーション訓練を繰り返す際、前回の固定位置からさらに調整していくといった徐々に変化させる調整が可能なので、リハビリテーションの進捗に応じて変化する姿勢の違いにも柔軟に追従することができる。そこで、状態が徐々に改善しては、その着座姿勢が変化していく患者等への適用に対して効果的であるなど、調整幅が高く追従性のよいリハビリテーションに好適なクッションであることが確認された。
【実施例３】
【００９１】
また、その他の実施例として、図９に、脚台１５つきのクッション１であって、引出ベルト１８を用いず、長さ調整可能な拘束バンド１１のみを用いたクッション１を示す。拘束バンド１１は、上下に２セットあり、各セットとも、バンド中央が二股に分岐しており、頭頂部側の外袋体側面５の内面側に縫着されている。そして、縫着部１４と左右側面の係留部１２の間の長さを折り返し部２４の引出し量を調整することで変化させ、頭部側のクッションの形状を大きく変化させることができるようになっている。着座後に拘束ベルト１１の長さを調整して着座姿勢を形成する使用方法は実施例２と同様であるが、引出ベルト１８を用いる場合は、引き出すことで上体が持ち上がると同時にその隙間にビーズが流動するのに対して、拘束ベルト１１を用いる場合は、頭部側の側面５をクッション６の中心方向に移動させることでビーズを流動させて、着座者の上体を大きく押し上げることができる。
【符号の説明】
【００９２】
１  クッション
２  外袋体
３  着座面
４  底面
５  側面
６  クッションカバー
７  内袋部
８  粒状発泡樹脂体
９  大内袋
１０  小内袋
１１  拘束バンド
１２  係留部
１３  中央部
１４  逢着部
１５  脚台
１６  載置部
１７  支持部
１８  引出ベルト
１９  逢着部位
２０  開口
２１  ベルト中央部
２２  バンド挿通穴
２３  分岐部
２４  折り返し部
２５  バックル
【図１】
0006533649.tif 000002
【図２】
0006533649.tif 000003
【図３】
0006533649.tif 000004
【図４】
0006533649.tif 000005
【図５】
0006533649.tif 000006
【図６】
0006533649.tif 000007
【図７】
0006533649.tif 000008
【図８】
0006533649.tif 000009
【図９】
0006533649.tif 000010